(57)【要約】【課題】屋外設置可能であり、かつ、長期にわたって使用可能な上半身運動器具を提供すること。【解決手段】床面に固定される支柱本体１０と、該支柱本体１０の上端部に回動可能に取り付けられた滑車ホルダー１１と、該滑車ホルダー１１に取り付けられた滑車１２とを有する支柱１、ならびに、ロープ本体２０の両端部に直線状の把持部３４を備えるロープ２、とを備える上半身運動器具であって、ここで、該滑車ホルダー１１と該滑車１２との間には、該把持部３４またはロープ本体２０が通過できる空間１４が備えられている上半身運動器具。【選択図】図１
2014161364.tif 000002
【特許請求の範囲】
【請求項１】
（１）床面または地面に固定される支柱本体と、該支柱本体の上端部に回動可能に取り付けられた滑車ホルダーと、該滑車ホルダーに取り付けられた滑車とを有する支柱、ならびに、
（２）ロープ本体と、該ロープ本体の両端部に設けられた直線状の把持部とを備えるロープ、
を備える上半身運動器具であって、
ここで、該滑車ホルダーと該滑車との間には、該把持部が通過できる空間が備えられている、上半身運動器具。
【請求項２】
前記ロープ本体の両端部にそれぞれ磁石付き金具が取り付けられている請求項１に記載の上半身運動器具。
【請求項３】
ロープ本体と、該ロープ本体の両端部に設けられた直線状の把持部とを備えるロープであって、該ロープは、支柱とともに上半身運動器具として使用され、
ここで、該支柱は、床面あるいは地面に固定される支柱本体と、該支柱本体の上端部に回動可能に取り付けられた滑車ホルダーと、該滑車ホルダーに取り付けられた滑車とを有し、ここで、該滑車ホルダーと該滑車との間には、該把持部が通過できる空間が備えられている、
ロープ。
【請求項４】
前記ロープ本体の両端部にそれぞれ磁石付き金具が取り付けられている請求項３に記載のロープ。
【請求項５】
（１）床面または地面に固定される支柱本体と、該支柱本体の上端部に回動可能に取り付けられた滑車ホルダーと、該滑車ホルダーに取り付けられた滑車とを有する支柱、ならびに、
（２）ロープ本体と、該ロープ本体の両端部に設けられた直線状の把持部とを備えるロープであって、ここで、該把持部は、ネジによって該ロープ本体の端部に着脱可能に固定されているロープ、
を備える上半身運動器具であって、
ここで、該滑車ホルダーと該滑車との間には、該ロープ本体が通過できる空間が備えられている、上半身運動器具。
【請求項６】
前記ロープ本体の両端部にそれぞれ磁石付き金具が取り付けられている請求項５に記載の上半身運動器具。
【請求項７】
ロープ本体と、該ロープ本体の両端部に設けられた直線状の把持部とを備えるロープであって、該ロープは、支柱とともに上半身運動器具として使用され、ここで、該把持部は、ネジによって該ロープ本体の端部に着脱可能に固定されており、
ここで、該支柱は、床面あるいは地面に固定される支柱本体と、該支柱本体の上端部に回動可能に取り付けられた滑車ホルダーと、該滑車ホルダーに取り付けられた滑車とを有し、ここで、該滑車ホルダーと該滑車との間には、該ロープ本体が通過できる空間が備えられている、
ロープ。
【請求項８】
前記ロープ本体の両端部にそれぞれ磁石付き金具が取り付けられている請求項７に記載のロープ。
【発明の詳細な説明】
【技術分野】
【０００１】
本発明は、屋外設置用の上半身運動器具に関する。
【背景技術】
【０００２】
上半身運動器具としては、種々の運動器具が知られている。
【０００３】
例えば、特許文献１は、両端に握持部を有する長尺な引張部を備える上半身運動器具を開示し、この上半身運動器具は、室内での使用を前提とし、その部材の一部を、屋内の柱、壁、支柱等の定着物に固定する取付部を具備したことを特徴とする。
【０００４】
上半身運動器具を屋外設置用とするためには、屋外の雨水、日光の照射など過酷な環境に耐えることが必要である。例えば、特許文献１に記載される運動器具は固定滑車および可動滑車を平行に配置された２枚のプレート間に配設するという比較的複雑な構造をしていることから、屋外での使用に耐え得るのかは、疑問である。また、両端に握持部を有する長尺な引張部は、他の部材と比較して、耐久性に劣ることが予測される。
【先行技術文献】
【特許文献】
【０００５】
【特許文献１】特許第３８９６４７１号公報
【発明の概要】
【発明が解決しようとする課題】
【０００６】
本発明は、屋外設置用であり、かつ、長期間屋外に設置することが可能な上半身運動器具を提供することを目的とする。
【０００７】
本発明の他の目的は、設置面積が狭く、しかも製作コストも安価である上半身運動器具を提供することにある。
【課題を解決するための手段】
【０００８】
本発明の上半身運動器具は、以下を特徴とする。
（項目１）
（１）床面または地面に固定される支柱本体と、該支柱本体の上端部に回動可能に取り付けられた滑車ホルダーと、該滑車ホルダーに取り付けられた滑車とを有する支柱、ならびに、
（２）ロープ本体と、該ロープ本体の両端部に設けられた直線状の把持部とを備えるロープ、
を備える上半身運動器具であって、
ここで、該滑車ホルダーと該滑車との間には、該把持部が通過できる空間が備えられている、上半身運動器具。
（項目２）
前記ロープ本体の両端部にそれぞれ磁石付き金具が取り付けられている項目１に記載の上半身運動器具。
（項目３）
ロープ本体と、該ロープ本体の両端部に設けられた直線状の把持部とを備えるロープであって、該ロープは、支柱とともに上半身運動器具として使用され、
ここで、該支柱は、床面あるいは地面に固定される支柱本体と、該支柱本体の上端部に回動可能に取り付けられた滑車ホルダーと、該滑車ホルダーに取り付けられた滑車とを有し、ここで、該滑車ホルダーと該滑車との間には、該把持部が通過できる空間が備えられている、
ロープ。
（項目４）
前記ロープ本体の両端部にそれぞれ磁石付き金具が取り付けられている項目３に記載のロープ。
（項目５）
（１）床面または地面に固定される支柱本体と、該支柱本体の上端部に回動可能に取り付けられた滑車ホルダーと、該滑車ホルダーに取り付けられた滑車とを有する支柱、ならびに、
（２）ロープ本体と、該ロープ本体の両端部に設けられた直線状の把持部とを備えるロープであって、ここで、該把持部は、ネジによって該ロープ本体の端部に着脱可能に固定されているロープ、
を備える上半身運動器具であって、
ここで、該滑車ホルダーと該滑車との間には、該ロープ本体が通過できる空間が備えられている、上半身運動器具。
（項目６）
前記ロープ本体の両端部にそれぞれ磁石付き金具が取り付けられている項目５に記載の上半身運動器具。
（項目７）
ロープ本体と、該ロープ本体の両端部に設けられた直線状の把持部とを備えるロープであって、該ロープは、支柱とともに上半身運動器具として使用され、ここで、該把持部は、ネジによって該ロープ本体の端部に着脱可能に固定されており、
ここで、該支柱は、床面あるいは地面に固定される支柱本体と、該支柱本体の上端部に回動可能に取り付けられた滑車ホルダーと、該滑車ホルダーに取り付けられた滑車とを有し、ここで、該滑車ホルダーと該滑車との間には、該ロープ本体が通過できる空間が備えられている、
ロープ。
（項目８）
前記ロープ本体の両端部にそれぞれ磁石付き金具が取り付けられている項目７に記載のロープ。
【発明の効果】
【０００９】
本発明によれば、滑車とロープを利用することによって、使用者の上肢の運度ができる、屋外設置用の上半身運動器具が提供される。本発明においては、支柱からロープを取り外すことが容易であることから、本発明の上半身運動器具を屋外に設置しても、ロープは、使用時にのみ支柱と組み合わせることができる。すなわち、使用時以外はロープを屋外に放置する必要がないため、ロープの耐久性の問題は克服される。
【００１０】
本発明の上半身運動器具は、非常にシンプルかつコンパクトな構成であるため、例えば、高速道路のパーキングエリアなどに支柱本体を設置し、ユーザー（例えば、パーキングエリアに来たドライバー）がロープと支柱本体とをあわせて使用することが可能である。そして、ユーザーは、使用後にロープを抜き取り、持ち帰ることができる。
【００１１】
本発明は、設置スペースが制限される屋外で使用することができる。
【図面の簡単な説明】
【００１２】
【図１】図１は、支柱とロープとを備えた、上半身運動器具の正面図である。
【図２】図２は、支柱の正面図である。
【図３】図３は、支柱の側面図である。
【図４】図４は、支柱の正面図である。滑車ホルダーを、図２の状態と比べて９０度回転させている。
【図５】図５は、滑車ホルダーと滑車の正面図である。
【図６】図６は、滑車ホルダーと滑車の側面図である。
【図７】図７は、ロープを通した状態の滑車ホルダーと滑車の側面図である。
【図８】図８は、支柱とともに使用する、直線状の把持部を両端に備えるロープの平面図である。
【図９】図９は、支柱とともに使用する、直線状の把持部を両端に備えるロープであって、さらに、把持部がネジ留め部を介してロープに固定されているロープの平面図である。
【図１０】図１０は、図９において、ネジによってロープに固定されていた把持部をロープからはずした図である。
【図１１】図１１は、支柱とともに使用する、直線状の把持部を両端に備えるロープであって、さらに、磁石付き金具を備えるロープの平面図である。
【発明を実施するための形態】
【００１３】
本発明の上半身運動器具の実施の形態の一例について、以下に図面を参照しながら説明する。
【００１４】
図１〜図４に示すように、本発明に使用される支柱１は、支柱本体１０の上端部に滑車ホルダー１１を備える。支柱本体１０は、剛性のある鋼管、棒材などで形成することができる。滑車ホルダー１１は、支柱本体１０の上端部に回動可能に備えられている。該滑車ホルダー１１はほぼ水平方向に長い軸部１３を有し、この軸部１３に滑車１２が回転可能に外嵌されている。
【００１５】
直線状（または棒状）の把持部３４を備えたロープ２を用いる本発明において、滑車ホルダー１１と滑車１２との間には、直線状の把持部３４が通過できる空間１４がある。ロープ２に磁石付き金具３５が配置される場合、磁石付き金具３５もまた、空間１４を通過することができる。
【００１６】
ロープ２は、ロープ本体２０と、該ロープ本体２０の両端部に取り付けられた把持部３４とを有する。ロープ本体２０は柔軟な材料、例えば、合成樹脂、綿、ワイヤーなどで形成することができる。
【００１７】
ロープ２の把持部３４は、ネジによってロープ本体２０の端部に着脱可能であってもよい。例えば、図１０に示すように、把持部３４は、雌ネジとネジ留め部２１を備え、ロープ本体２０の端部は、雄ネジ２２とネジ留め部２１を備え、雄ネジ部２２を雌ネジに螺合することによって把持部３４をロープ本体２０にネジを介して固定することが可能である。あるいは、その逆に、把持部３４が雄ネジ２２とネジ留め部２１を備え、ロープ本体２０の端部が雌ネジとネジ留め部２１を備えることによって把持部３４をロープ本体２０にネジを介して固定してもよい。把持部３４をロープ本体２０の端部に固定した状態を図９に示す。
【００１８】
ロープ２の把持部３４がネジによって着脱可能である場合、把持部３４を取り外したロープ本体２０を空間１４を通過させてもよく、そのため、空間１４には必ずしも直線状の把持部３４が通過できる大きさは必要ではなく、空間１４はロープ本体２０が通過できる大きさで十分である。ロープ２の把持部３４がネジによって着脱可能である場合であって、ロープ２に磁石付き金具３５が配置される場合、空間１４には必ずしも直線状の把持部３４が通過できる大きさは必要ではなく、空間１４はロープ本体２０および磁石付き金具３５が通過できる大きさで十分である。ロープ２の把持部３４がネジによって着脱可能である場合であって、把持部３４に磁石付き金具３５が配置される場合、空間１４には必ずしも直線状の把持部３４が通過できる大きさも、磁石付き金具３５が通過できる大きさも必要ではなく、空間１４はロープ本体２０が通過できる大きさで十分である。
【００１９】
このロープ本体２０の外径は、把持部３４および金具３５の外径よりも小寸法に設定されている。
【００２０】
滑車ホルダー１１は、支柱本体１０に回動可能に備えられているため、支柱本体１０の前面あるいは背面のいずれの側からもユーザーはロープ２を使用することができる。
【００２１】
支柱本体１０は、屋外の床面（あるいは地面）に任意の方法で固定される。支柱本体１０の高さは特に限定されることはないが、ユーザーが滑車ホルダー１１と滑車１２との間の空間１４をロープ２の把持部３４を通過させる操作が容易にできるように、好ましくは、１６０ｃｍ〜１６５ｃｍである。
【００２２】
ロープ２は支柱１から取り外し自在であるため、支柱１を屋外に設置し、ユーザーが使用する際にロープ２を持参して支柱１にロープ２を取り付けて、本発明の上半身運動器具を使用し、使用後は、ロープ２を支柱１から取り外して持ち帰ることができる。
【００２３】
ロープ本体２０は、好ましくは９ｍｍ程度の太さであるが、これに限定されない。また、ロープ本体２０の長さは、約２．２ｍ〜２．３ｍであるがこれに限定されない。
【００２４】
好ましくは、ロープ２は、ロープ本体２０と、該ロープ本体２０の両端部に設けられた直線状の把持部３４とを両端に備える（図８）。
【００２５】
直線状の把持部３４は、好ましくは滑り止めを備える。把持部３４は、ユーザーが使いやすい任意の大きさおよび長さであるが、典型的には１２ｃｍ程度の長さである。好ましくは、ロープ両端部の把持部３４の近傍に、磁石付き金具３５が配置される。あるいは、ロープ両端部のいずれか一方の端部の把持部３４の近傍に、磁石付き金具３５が配置される。
【００２６】
支柱本体１０は、鉄などの金属であるため、上半身運動器具を使用しない時は、磁石付き金具３５を用いて、ロープ２を支柱本体１０に固定しておくこともできる。あるいは、支柱本体１０は、磁石付き金具３５を介してロープ２を固定するために、磁石固定金具を備えてもよい。この場合、磁石固定金具を取り外すことにより、ロープ２を支柱本体１０から取り外すことができる。
【００２７】
支柱本体１０を床面または地面に固定する場合には、直接固定してもよいが、
支柱本体１０を台座１７に固定し、そして、台座１７をボルト１８によって床面または地面に固定してもよい。台座１７は、例えば、ステンレス板である。
【００２８】
ロープ２は滑車１２に巻回されているので、ロープ２の一方の把持部を下方に引っ張ると滑車１２が回転してロープ２の他方の把持部３４が上方へ移動する。ロープ２の両方の端部にはそれぞれ把持部３４が備えられている。
【００２９】
直線状の把持部３４は、滑り止め機能を有することが好ましい。滑り止め機能は、例えば、ゴム、エラストマーなどによって発揮することができる。
【００３０】
例えば、水泳のように把持部を上下移動させるなど動きのある運動を行うことができる。
【産業上の利用可能性】
【００３１】
本発明の上半身運動器具は、水泳の練習の他、体操などの補助具としても使用することができる。
【符号の説明】
【００３２】
１    支柱
２    ロープ
１０  支柱本体
２０  ロープ本体
２１  ネジ留め部
２２  雄ネジ
１１  滑車ホルダー
１２  滑車
１３  軸部
１４  把持部が通過できる空間
１７  台座
１８  ボルト
３４  直線状の把持部
３５  磁石付き金具
【図１】
2014161364.tif 000003
【図２】
2014161364.tif 000004
【図３】
2014161364.tif 000005
【図４】
2014161364.tif 000006
【図５】
2014161364.tif 000007
【図６】
2014161364.tif 000008
【図７】
2014161364.tif 000009
【図８】
2014161364.tif 000010
【図９】
2014161364.tif 000011
【図１０】
2014161364.tif 000012
【図１１】
2014161364.tif 000013